(57)【要約】【課題】同軸ケーブルから光ファイバケーブルへの置換を簡易に実現する技術を提供する。【解決手段】ケーブルユニット１は、第１コネクタ部２と、第２コネクタ部３と、第１回路部４と、第２回路部５と、ケーブル部６とを備える。ケーブル部６は、いわゆる光ファイバケーブルによって構成されている。ケーブル部６の一端には、第１コネクタ部２および第１回路部４が一体に設けられ、ケーブル部６の他端には、第２コネクタ部３および第２回路部５が一体に設けられている。第１回路部４、ケーブル部６、第２回路部５は、樹脂製の被覆材によって覆われている。第１コネクタ部２および第２コネクタ部３は、いずれもＦ型コネクタのプラグにより構成されている。【選択図】図１
2018148495.tif 000002
【特許請求の範囲】
【請求項１】
信号の伝送に用いるケーブルユニットであって、
光ファイバを有するケーブル部と
前記ケーブル部の一端に設けられ、電気信号を光信号に変換して前記光ファイバに入力するように構成されたＥ／Ｏ変換器を備える第１変換部と、
前記第１変換部への給電を行うように構成された第１給電部と、
前記ケーブル部の他端に設けられ、前記光ファイバから出力される光信号を電気信号に変換するように構成されたＯ／Ｅ変換器を備える第２変換部と、
前記第２変換部への給電を行うように構成された第２給電部と、
高周波コネクタで構成され、前記第１変換部に対する前記電気信号の入力または出力のうち少なくとも一方を行うための端子を構成する第１コネクタ部と、
高周波コネクタで構成され、前記第２変換部に対する前記電気信号の入力または出力のうち少なくとも一方を行うための端子を構成する第２コネクタ部と、
を備えるケーブルユニット。
【請求項２】
前記第１コネクタ部に印加される電気信号の直流成分を抽出して前記第１給電部に供給するように構成された第１フィルタ部と、
前記第２コネクタ部に印加される電気信号の直流成分を抽出して前記第２給電部に供給するように構成された第２フィルタ部と、
を更に備える、請求項１に記載のケーブルユニット。
【請求項３】
外部電源に接続される第１プラグを備え、該第１プラグを介して供給される電力を前記第１給電部に供給するように構成された第１外電源部と、
外部電源に接続される第２プラグを備え、該第２プラグを介して供給される電力を前記第２給電部に供給するように構成された第２外電源部と、
を更に備える、請求項１に記載のケーブルユニット。
【請求項４】
前記ケーブル部は、電力伝送用のメタル線を更に備え、
前記第１給電部および前記第２給電部のうち少なくとも一方が、前記メタル線を介して電力の供給を受けるように構成されている、請求項１に記載のケーブルユニット。
【請求項５】
前記第１給電部および前記第１コネクタ部と、前記第２給電部および前記第２コネクタ部とのうち一方を供給側給電部および供給側コネクタ部、他方を被供給側給電部および被供給側コネクタ部とし、
前記供給側コネクタ部に印加される電気信号の直流成分を抽出して前記供給側給電部および前記メタル線に供給するように構成された入力フィルタ部を更に備え、
前記被供給側給電部が、前記メタル線を介して電力の供給を受けるように構成されている、請求項４に記載のケーブルユニット。
【請求項６】
前記第１給電部および前記第１コネクタ部と、前記第２給電部および前記第２コネクタ部のうち一方を供給側給電部および供給側コネクタ部、他方を被供給側給電部および被供給側コネクタ部とし、
外部電源に接続されるプラグを備え、該プラグを介して供給される電力を前記供給側給電部および前記メタル線に供給するように構成された外電源部を更に備え、
前記被供給側給電部が、前記メタル線を介して電力の供給を受けるように構成されている、請求項４に記載のケーブルユニット。
【請求項７】
前記メタル線を介して供給される電力を抽出して前記被供給側コネクタ部に供給するように構成された出力フィルタ部を更に備える、請求項５または請求項６に記載のケーブル
ユニット。
【請求項８】
前記第１変換部は、前記Ｅ／Ｏ変換器を複数備えると供に、前記第２変換部は、前記Ｏ／Ｅ変換器を複数備え、
前記複数のＥ／Ｏ変換器および前記複数のＥ／Ｏ変換器は、互いに対になるものを変換器対として、該変換器対毎に、異なる波長を用いて光信号を送受信するように構成されている、請求項１ないし請求項７のいずれか１項に記載のケーブルユニット。
【請求項９】
前記ケーブル部は、複数の光ファイバを備え、
前記変換器対毎に、異なる前記光ファイバを用いて光信号を送受信するように構成されている、請求項８に記載のケーブルユニット。
【請求項１０】
前記第１変換部および前記第２変換部は、いずれも前記Ｅ／Ｏ変換器および前記Ｏ／Ｅ変換器を備え、前記ケーブル部を介して双方向に光信号を送受信するように構成されている、請求項１ないし請求項７のいずれか１項に記載のケーブルユニット。
【請求項１１】
前記ケーブル部は、複数の光ファイバを備え、
前記第１変換部および前記第２変換部は、通信方向毎に異なる光ファイバを用いるように構成されている、請求項１０に記載のケーブルユニット。
【請求項１２】
前記高周波コネクタは、Ｆ型コネクタである、請求項１ないし請求項１１のいずれか１項に記載のケーブルユニット。
【発明の詳細な説明】
【技術分野】
【０００１】
本開示は、テレビ信号の伝送に使用するケーブルユニットに関する。
【背景技術】
【０００２】
特許文献１には、屋外に設置されたアンテナから屋内の壁面に設けられたアウトレット端子までの伝送や、アウトレット端子とテレビ等の端末との間の伝送に、同軸ケーブルを使用することが記載されている。また、テレビ信号を伝送するシステムでは、機器とケーブルとの接続にＦ型コネクタが多用されている。
【先行技術文献】
【特許文献】
【０００３】
【特許文献１】特開２０１１−２２９１３７号
【発明の概要】
【発明が解決しようとする課題】
【０００４】
近年、テレビ放送では、所謂４Ｋ、８Ｋと呼ばれる、より高画質の放送が検討されている。これに伴いテレビ信号等が広帯域化するため、テレビ信号を伝送するケーブルとして、同軸ケーブルの代わりに、より広帯域の伝送が可能な光ファイバケーブルを利用することが考えられている。
【０００５】
しかしながら光ファイバケーブルを利用するには、光信号から電気信号に変換するＥ／Ｏ変換器および電気信号から光信号に変換するＯ／Ｅ変換器が必要となる。そして、これらＥ／Ｏ変換器やＯ／Ｅ変換器を設置する部分の施工が難しいため、同軸ケーブルが使用されている既存のシステムの伝送路を、光ファイバケーブルに置換する作業に多大な手間を要するという問題があった。
【０００６】
本開示は、同軸ケーブルから光ファイバケーブルへの置換を簡易に実現する技術を提供することを目的とする。
【課題を解決するための手段】
【０００７】
かかる目的を達成するためになされた請求項１に記載の発明は、信号の伝送に用いるケーブルユニットであって、光ファイバを有するケーブル部と、前記ケーブル部の一端に設けられ、電気信号を光信号に変換して前記光ファイバに入力するように構成されたＥ／Ｏ変換器を備える第１変換部と、前記第１変換部への給電を行うように構成された第１給電部と、前記ケーブル部の他端に設けられ、前記光ファイバから出力される光信号を電気信号に変換するように構成されたＯ／Ｅ変換器を備える第２変換部と、前記第２変換部への給電を行うように構成された第２給電部と、高周波コネクタで構成され、前記第１変換部に対する前記電気信号の入力または出力のうち少なくとも一方を行うための端子を構成する第１コネクタ部と、高周波コネクタで構成され、前記第２変換部に対する前記電気信号の入力または出力のうち少なくとも一方を行うための端子を構成する第２コネクタ部と、を備える。
【０００８】
請求項２に記載の発明は、請求項１に記載のケーブルユニットにおいて、前記第１コネクタ部に印加される電気信号の直流成分を抽出して前記第１給電部に供給するように構成された第１フィルタ部と、前記第２コネクタ部に印加される電気信号の直流成分を抽出して前記第２給電部に供給するように構成された第２フィルタ部と、を更に備える。
【０００９】
請求項３に記載の発明は、請求項１に記載のケーブルユニットにおいて、外部電源に接続される第１プラグを備え、該第１プラグを介して供給される電力を前記第１給電部に供給するように構成された第１外電源部と、外部電源に接続される第２プラグを備え、該第２プラグを介して供給される電力を前記第２給電部に供給するように構成された第２外電源部と、を更に備える。
【００１０】
請求項４に記載の発明は、請求項１に記載のケーブルユニットにおいて、前記ケーブル部は、電力伝送用のメタル線を更に備え、前記第１給電部および前記第２給電部のうち少なくとも一方が、前記メタル線を介して電力の供給を受けるように構成されている。
【００１１】
請求項５に記載の発明は、請求項４に記載のケーブルユニットにおいて、前記第１給電部および前記第１コネクタ部と、前記第２給電部および前記第２コネクタ部とのうち一方を供給側給電部および供給側コネクタ部、他方を被供給側給電部および被供給側コネクタ部とし、前記供給側コネクタ部に印加される電気信号の直流成分を抽出して前記供給側給電部および前記メタル線に供給するように構成された入力フィルタ部を更に備え、前記被供給側給電部が、前記メタル線を介して電力の供給を受けるように構成されている。
【００１２】
請求項６に記載の発明は、請求項４に記載のケーブルユニットにおいて、前記第１給電部および前記第１コネクタ部と、前記第２給電部および前記第２コネクタ部のうち一方を供給側給電部、他方を被供給側給電部および被供給側コネクタ部とし、外部電源に接続されるプラグを備え、該プラグを介して供給される電力を前記供給側給電部および前記メタル線に供給するように構成された外電源部を更に備え、前記被供給側給電部が、前記メタル線を介して電力の供給を受けるように構成されている。
【００１３】
請求項７に記載の発明は、請求項５または請求項６に記載のケーブルユニットにおいて、前記メタル線を介して供給される電力を抽出して前記被供給側コネクタ部に供給するように構成された出力フィルタ部を更に備える。
【００１４】
請求項８に記載の発明は、請求項１ないし請求項７のいずれか１項に記載のケーブルユニットにおいて、前記第１変換部は、前記Ｅ／Ｏ変換器を複数備えると供に、前記第２変換部は、前記Ｏ／Ｅ変換器を複数備え、前記複数のＥ／Ｏ変換器および前記複数のＥ／Ｏ変換器は、互いに対になるものを変換器対として、該変換器対毎に、異なる波長を用いて光信号を送受信するように構成されている。
【００１５】
請求項９に記載の発明は、請求項８に記載のケーブルユニットにおいて、前記ケーブル部は、複数の光ファイバを備え、前記変換器対毎に、異なる前記光ファイバを用いて光信号を送受信するように構成されている。
【００１６】
請求項１０に記載の発明は、請求項１ないし請求項７のいずれか１項に記載のケーブルユニットにおいて、前記第１変換部および前記第２変換部は、いずれも前記Ｅ／Ｏ変換器および前記Ｏ／Ｅ変換器を備え、前記ケーブル部を介して双方向に光信号を送受信するように構成されている。
【００１７】
請求項１１に記載の発明は、請求項１０に記載のケーブルユニットにおいて、前記ケーブル部は、複数の光ファイバを備え、前記第１変換部および前記第２変換部は、通信方向毎に異なる光ファイバを用いるように構成されている。
【００１８】
請求項１２に記載の発明は、請求項１ないし請求項１１のいずれか１項に記載のケーブルユニットにおいて、前記高周波コネクタとして、Ｆ型コネクタが用いられている。
【発明の効果】
【００１９】
請求項１に記載のケーブルユニットによれば、Ｅ／Ｏ変換器を備える第１変換部およびＯ／Ｅ変換器を備える第２変換部がケーブルと一体化されている。しかも、第１コネクタ部および第２コネクタ部が高周波コネクタで構成されている。このため、例えば、テレビ信号等を伝送するシステムにおいて、光ファイバケーブルであることを意識せず、同軸ケーブルを配線するときと同じ感覚で、簡単に伝送線路を光ファイバ化することができる。
【００２０】
請求項２に記載のケーブルユニットによれば、第１変換部および第２変換部を動作させるための電力を、第１コネクタ部および第２コネクタ部から得ている。このため、当該ケーブルユニットを接続する機器の近くに外部電源が存在しない場合でも、問題なく設置することができる。
【００２１】
請求項３に記載のケーブルユニットによれば、第１変換部および第２変換部を動作させるための電力を、第１外電源部および第２外電源部を介して外部電源から得ている。このため、入力側コネクタ部および出力側コネクタ部を介して電力を得ることができない場合でも、外部電源が存在する箇所であれば、問題なく設置することができる。
【００２２】
請求項４に記載のケーブルユニットによれば、第１給電部および第２給電部の少なくとも一方は、ケーブル部に設けられたメタル線を介して電力を得ている。このため、第１給電部および第２給電部のいずれか一方の側にて、電力を得ることができれば、問題なく設置することができる。
【００２３】
請求項５に記載のケーブルユニットによれば、被供給側給電部が位置する側に電力を得る手段が存在しない場合でも、供給側給電部側のコネクタ部を介して電力を得ることができれば、問題なく設置することができる。
【００２４】
請求項６に記載のケーブルユニットによれば、被供給側給電部が位置する側に電力を得る手段が存在しない場合でも、供給側給電部が位置する側の周辺に外部電源が存在すれば、問題なく設置することができる。
【００２５】
請求項７に記載のケーブルユニットによれば、被供給側コネクタ部を介して外部装置に電力を供給することができる。
請求項８に記載のケーブルユニットによれば、光信号を複数の波長に分波し、分波した波長毎にＥ／Ｏ変換、Ｏ／Ｅ変換を行っている。このため、使用周波数の全域に渡ってフラットな周波数特性を、比較的狭い帯域の光電変換素子を用いて実現することができる。
【００２６】
請求項９に記載のケーブルユニットによれば、Ｏ／Ｅ変換する前に光信号を分岐又は分波する必要がないため、光信号を効率よく電気信号に変換することができる。
請求項１０に記載のケーブルユニットによれば、双方向の通信を行う伝送線路に適用することができる。
【００２７】
請求項１１に記載のケーブルユニットによれば、Ｏ／Ｅ変換する前に光信号を分岐又は分波する必要がないため、光信号を効率よく電気信号に変換することができる。
請求項１２に記載のケーブルユニットによれば、Ｆ型コネクタに適合した機器を用いて構成されるシステムの伝送線路として好適に用いることができる。
【図面の簡単な説明】
【００２８】
【図１】第１実施形態のケーブルユニットの外観図である。
【図２】第１実施形態のケーブルユニットの回路構成等を示す説明図である。
【図３】ケーブルユニットの使用例を示す説明図である。
【図４】第２実施形態のケーブルユニットの外観図である。
【図５】第２実施形態のケーブルユニットの回路構成等を示す説明図である。
【図６】第３実施形態のケーブルユニットの回路構成等を示す説明図である。
【図７】第４実施形態のケーブルユニットの回路構成等を示す説明図である。
【図８】第５実施形態のケーブルユニットの回路構成等を示す説明図である。
【図９】第１変換部および第２変換部の変形例およびケーブル部との関係を示す説明図である。
【図１０】第１変換部の変形例およびケーブル部との関係を示す説明図である。
【図１１】第１変換部の変形例およびケーブル部との関係を示す説明図である。
【図１２】第１変換部の変形例およびケーブル部との関係を示す説明図である。
【発明を実施するための形態】
【００２９】
以下に本発明の実施形態を図面と共に説明する。
［１．第１実施形態］
［１−１．構成］
図１および図２に示すように、ケーブルユニット１は、第１コネクタ部２と、第２コネクタ部３と、第１回路部４と、第２回路部５と、ケーブル部６とを備える。
【００３０】
ケーブル部６は光ファイバ６１を備えた、いわゆる光ファイバケーブルによって構成されている。ケーブル部６の一端には、第１コネクタ部２および第１回路部４が一体に設けられ、ケーブル部６の他端には、第２コネクタ部３および第２回路部５が一体に設けられている。第１回路部４、ケーブル部６、第２回路部５は、樹脂製の被覆材によって覆われている。
【００３１】
第１コネクタ部２および第２コネクタ部３は、いずれもＦ型コネクタのプラグにより構成されている。第１回路部４は、第１コネクタ部２を介して入力される電気信号を光信号に変換してケーブル部６に入力する。第２回路部５は、ケーブル部６により伝送されてくる光信号を電気信号に変換して、第２コネクタ部３から出力する。
【００３２】
第１回路部４は、第１変換部４０、第１フィルタ部４３、第１給電部４４を備える。第１変換部４０は、増幅器４１および発光素子４２にて構成されたＥ／Ｏ変換器を備える。増幅器４１は、第１コネクタ部２に印加される電気信号を増幅する。発光素子４２は、発光ダイオードまたはレーザダイオードにより構成され、増幅器４１にて増幅された電気信号を、予め決められた波長の光信号に変換して、ケーブル部６を構成する光ファイバに入力する。第１フィルタ部４３は、例えば、コンデンサおよびコイルを備えた周知の構成を有する。第１フィルタ部４３は、第１コネクタ部２に印加される電気信号から直流成分を分離して第１給電部４４に供給する。なお、第１フィルタ部４３は、第１コネクタ部２に印加される電気信号の直流成分が、増幅器４１に供給されることを阻止するように構成されていてもよい。第１給電部４４は、ＤＣ／ＤＣコンバータであり、第１フィルタ部４３を介して供給される直流成分を所定電圧ＶＤＤ（例えば、３Ｖ）にして、第１変換部４０の各部への給電を行う。以下、第１給電部４４をＤＣ／ＤＣコンバータ４４という。
【００３３】
第２回路部５は、第２変換部５０、第２フィルタ部５３、第２給電部５４を備える。第２変換部５０は、増幅器５１および受光素子５２にて構成されたＯ／Ｅ変換器を備える。受光素子５２は、フォトダイオードにより構成され、ケーブル部６を構成する光ファイバを介して受光した光信号を電気信号に変換する。増幅器５１は、受光素子５２が出力する電気信号を増幅し、第２コネクタ部３を介して出力する。第２フィルタ部５３は、例えば、第１フィルタ部４３と同様にコンデンサおよびコイルを備えた周知の構成を有する。第２フィルタ部５３は、第２コネクタ部３に印加される電気信号から直流成分を分離して第２給電部５４に供給する。なお、第２フィルタ部５３は、第２コネクタ部３に印加される
電気信号の直流成分が増幅器５１側に供給されることを阻止するように構成されていてもよい。。第２給電部５４は、第１給電部４４と同様に構成されたものであり、第２フィルタ部５３を介して供給される直流成分を所定電圧ＶＤＤにして、第２変換部５０の各部への給電を行う。以下、第２給電部５４をＤＣ／ＤＣコンバータ５４という。
【００３４】
［１−２．使用例］
ケーブルユニット１の使用例について説明する。
図３は、共同住宅内におけるテレビ信号の伝送システム７を例示する説明図である。
【００３５】
伝送システム７は、アンテナ７１、ブースタ７２、分配器７３、壁面ユニット７４を備える。
アンテナ７１は、建造物の屋上等に設置され、地上デジタル放送波、ＢＳ放送波、ＣＳ放送波等を受信し、ブースタ７２に供給する。ブースタ７２は、アンテナ７１の近くに設置され、アンテナ７１から供給される受信信号を増幅して、分配器７３に供給する。分配器７３は、例えば、建造物の各階毎に設置され、ブースタ７２から供給されてくる受信信号、又は、自身より前段の分配器７３にて分配された受信信号を、複数に分配して出力する。壁面ユニット７４は、家屋の壁面に設けられ、テレビ信号を取り出すためのアウトレット端子を備える。アウトレット端子には、テレビ受信機７５等の端末装置が接続される。
【００３６】
アンテナ７１とブースタ７２を接続するケーブルＬ１、ブースタ７２と分配器７３を接続するケーブルＬ２、分配器７３，７３間を接続するケーブルＬ３、分配器７３と壁面ユニット７４を接続するケーブルＬ４、壁面ユニット７４，７４間を接続するケーブルＬ５、壁面ユニット７４とテレビ受信機７５を接続するケーブルＬ６には、Ｆ型コネクタを有するケーブルが使用される。つまり、これらケーブルＬ１〜Ｌ６によって相互に接続される機器のケーブル接続端子もＦ型コネクタによって構成されている。
【００３７】
これらのケーブルＬ１〜Ｌ６として、基本的には、Ｆ型コネクタを有した同軸ケーブルが用いられる。但し、ケーブルＬ１〜Ｌ６によって相互に接続される機器がケーブル接続端子を介して給電可能である場合は、同軸ケーブルを、上述したケーブルユニット１に置換することができる。この例では、ケーブルＬ２，Ｌ３，Ｌ６等をケーブルユニット１にて構成することが考えられるが、これらに限定されるものではない。
【００３８】
［１−３．効果］
以上詳述した第１実施形態によれば、以下の効果を奏する。
（１ａ）ケーブルユニット１によれば、電気信号を光信号に変換して伝送するため、４Ｋ、８Ｋ等の広帯域のテレビ信号を、同軸ケーブルを用いる場合と比較して、低損失で伝送することができる。
【００３９】
（１ｂ）ケーブルユニット１によれば、第１コネクタ部２および第２コネクタ部３として、Ｆ型コネクタが用いられているため、既存の同軸ケーブルと同じ感覚で使用することができる。その結果、同軸ケーブルからケーブルユニット１への置換作業も簡単に行うことができる。
【００４０】
［２．第２実施形態］
［２−１．第１実施形態との相違点］
第２実施形態は、基本的な構成は第１実施形態と同様であるため、相違点について以下に説明する。なお、第１実施形態と同じ符号は、同一の構成を示すものであって、先行する説明を参照する。
【００４１】
前述した第１実施形態では、第１変換部４０および第２変換部５０への給電に用いる電力を、第１コネクタ部２および第２コネクタ部３に印加される電気信号の直流成分を抽出することで得ている。これに対し、第２実施形態では、その電力を外部電源から取得する点で、第１実施形態と相違する。
【００４２】
図４および図５に示すように、第２実施形態のケーブルユニット１ａは、第１回路部４ａおよび第２回路部５ｂの構成が第１実施形態のケーブルユニット１のものとは異なっている。
【００４３】
第１回路部４ａは、第１回路部４と比較して、第１フィルタ部４３が省略され、代わりに電源プラグ４５およびＡＣ／ＤＣコンバータ４６が設けられている。電源プラグ４５は、外部電源（例えば、商用電源）に接続される周知のものである。ＡＣ／ＤＣコンバータ４６は、外部電源に接続された電源プラグ４５を介して供給される交流電力を所定電圧の直流電力に変換してＤＣ／ＤＣコンバータ４４に供給する。ここでは、ＡＣ／ＤＣコンバータ４６が第１外電源部に相当する。
【００４４】
第２回路部５ａは、第２回路部５と比較して、第２フィルタ部５３が省略され、代わりに電源プラグ５５およびＡＣ／ＤＣコンバータ５６が設けられている。電源プラグ５５およびＡＣ／ＤＣコンバータ５６は、電源プラグ４５およびＡＣ／ＤＣコンバータ４６と同様のものである。即ち、ＡＣ／ＤＣコンバータ５６は、外部電源に接続された電源プラグ５５を介して供給される交流電力を所定電圧の直流電圧に変換してＤＣ／ＤＣコンバータに供給する。ここでは、ＡＣ／ＤＣコンバータ５６が第２外電源部に相当する。
【００４５】
電源プラグ４５，５５は、図４に示すように、第１回路部４および第２回路部５とケーブル部６との接続部位付近からそれぞれ延設された電源ケーブルに接続されている。
なお、第１回路部４ａおよび第２回路部５ａは、ＤＣ／ＤＣコンバータ４４，５４を省略してＡＣ／ＤＣコンバータ４６，５６が第１変換部４０および第２変換部５０への給電を直接行うように構成されていてもよい。また、ＡＣ／ＤＣコンバータ４６，５６は、電源プラグ４５，５５と同様に第１回路部４ａおよび第２回路部５ａの外部に設けられていてもよい。
【００４６】
［２−２．効果］
以上詳述した第２実施形態によれば、前述した第１実施形態の効果（１ａ）（１ｂ）を奏し、さらに、以下の効果を奏する。
【００４７】
（２）ケーブルユニット１ａによれば、第１変換部４０および第２変換部５０を動作させるための電力を、電源プラグ４５，５５を介して外部電源から得ている。このため、第１コネクタ部２および第２コネクタ部３を介して電力を得ることができない場合でも、外部電源が存在する箇所であれば、問題なく設置することができる。
【００４８】
［３．第３実施形態］
［３−１．第１実施形態との相違点］
第３実施形態は、基本的な構成は第１実施形態と同様であるため、相違点について以下に説明する。なお、第１実施形態と同じ符号は、同一の構成を示すものであって、先行する説明を参照する。
【００４９】
前述した第１実施形態では、第１変換部４０および第２変換部５０への給電に用いる電力を、第１回路部４および第２回路部５のそれぞれにて個別に取得している。これに対し、第３実施形態では、第１回路部４ｂ側にて電力を取得し、第２回路部５ｂ側へは、ケーブル部６ｂに設けたメタル線６２を介して電力を供給する点で、第１実施形態と相違する
。
【００５０】
第３実施形態のケーブルユニット１ｂの外観は、第１実施形態のケーブルユニット１と同様である。また、ケーブルユニット１ｂは、図６に示すように、第１回路部４ｂおよび第２回路部５ｂの構成、およびケーブル部６ｂの構成が第１実施形態のケーブルユニット１のものとは異なっている。
【００５１】
ケーブル部６ｂは、光ファイバ６１に加えて、給電用のメタル線６２を備えている。なお、メタル線６２は、例えば、細径の同軸ケーブルであってもよいし、ツイストペア線であってもよい。メタル線６２の一本（以下、グランド線）は、一端が第１回路部４ｂのグランドに接続され、他端が第２回路部５ｂのグランドに接続されている。
【００５２】
第１回路部４ｂは、第１フィルタ部４３により抽出した直流成分を、ＤＣ／ＤＣコンバータ４４だけでなく、メタル線６２のうち、グランド線ではない側の一本（以下、非グランド線）にも供給する以外は、第１実施形態で説明した第１回路部４と同様に構成されている。
【００５３】
第２回路部５ｂは、第１実施形態で説明した第２回路部５と比較して、第２フィルタ部５３が省略されている。また、第２回路部５ｂは、ＤＣ／ＤＣコンバータ５４が、ケーブル部６ｂの非グランド線を介して電力の供給を受けるように構成されている。
【００５４】
なお、本実施形態では、ＤＣ／ＤＣコンバータ４４が供給側給電部、第１コネクタ部２が供給側コネクタ部、第１フィルタ部４３が入力フィルタ部、ＤＣ／ＤＣコンバータ５４が被供給側給電部、第２コネクタ部３が被供給側コネクタ部に相当する。
【００５５】
［３−２．効果］
以上詳述した第３実施形態によれば、前述した第１実施形態の効果（１ａ）（１ｂ）を奏し、さらに、以下の効果を奏する。
【００５６】
（３）ケーブルユニット１ｂによれば、第１回路部４ｂ側では、ＤＣ／ＤＣコンバータ４４が第１コネクタ部２を介して電力を取得し、第２回路部５ｂ側では、ＤＣ／ＤＣコンバータ５４がケーブル部６ｂに設けられたメタル線６２を介して電力を得ている。このため、第２回路部５ｂ側にて電力を取得することができない場合でも、問題なく設置することができる。
【００５７】
［４．第４実施形態］
［４−１．第１実施形態との相違点］
第４実施形態は、基本的な構成は第１実施形態と同様であるため、相違点について以下に説明する。なお、第１実施形態と同じ符号は、同一の構成を示すものであって、先行する説明を参照する。
【００５８】
前述した第１実施形態では、第１変換部４０および第２変換部５０への給電に用いる電力を、第１回路部４および第２回路部５のそれぞれにて個別に取得している。これに対し、第４実施形態では、第２回路部５ｃ側にて電力を取得し、第１回路部４ｃ側へは、ケーブル部６ｂに設けたメタル線６２を介して電力を供給する点で、第１実施形態と相違する。
【００５９】
第４実施形態のケーブルユニット１ｃは、第２実施形態のケーブルユニット１ａから、第１回路部４ａ側に設けられた電源プラグ４５を省略した外観を有する。また、ケーブルユニット１ｃは、図７に示すように、第１回路部４ｃおよび第２回路部５ｃの構成が第１
実施形態とは異なり、ケーブル部６ｂは第３実施形態にて説明したものと同様に構成されている。
【００６０】
第１回路部４ｃは、第１実施形態で説明した第１回路部４と比較して、第１フィルタ部４３が省略されている。また、第１回路部４ｃは、ＤＣ／ＤＣコンバータ４４が、ケーブル部６ｂを構成するメタル線６２の非グランド線を介して電力の供給を受けるように構成されている。
【００６１】
第２回路部５ｃは、第２実施形態で説明した第２回路部５ａの構成に加えて、ＡＣ／ＤＣコンバータ５６の出力を、ＤＣ／ＤＣコンバータ５４だけでなく、ケーブル部６ｂを構成するメタル線６２の非グランド線にも供給するように構成されている。
【００６２】
なお、本実施形態では、ＤＣ／ＤＣコンバータ５４が供給側給電部、第２コネクタ部３が供給側コネクタ部、ＡＣ／ＤＣコンバータ５６が外電源部、ＤＣ／ＤＣコンバータ４４が被供給側給電部、第１コネクタ部２が被供給側コネクタ部に相当する。
【００６３】
［４−２．効果］
以上詳述した第４実施形態によれば、前述した第１実施形態の効果（１ａ）（１ｂ）を奏し、さらに、以下の効果を奏する。
【００６４】
（４）ケーブルユニット１ｃによれば、第２回路部５ｃ側では、ＤＣ／ＤＣコンバータ５４が電源プラグ５５およびＡＣ／ＤＣコンバータ５６を介して電力を取得し、第１回路部４ｃ側では、ＤＣ／ＤＣコンバータ４４がケーブル部６ｂに設けられたメタル線６２を介して電力を得ている。このため、第１回路部４ｃ側にて電力を取得することができない場合でも、問題なく設置することができる。
【００６５】
［５．第５実施形態］
［５−１．第１実施形態との相違点］
第５実施形態は、基本的な構成は第４実施形態と同様であるため、相違点について以下に説明する。なお、第４実施形態と同じ符号は、同一の構成を示すものであって、先行する説明を参照する。
【００６６】
前述した第４実施形態では、電源プラグ５５およびＡＣ／ＤＣコンバータ５６を介して取得した電力を、ＤＣ／ＤＣコンバータ５４を介して第２変換部５０に供給すると供に、ケーブル部６ｂおよびＤＣ／ＤＣコンバータ４４を介して第１変換部４０に供給している。本実施形態では、更に、第１コネクタ部２および第２コネクタ部３を介して外部への給電を行う点で、第４実施形態とは相違する。
【００６７】
図８に示すように、本実施形態のケーブルユニット１ｄにおいて、第１回路部４ｄは、第４実施形態で説明した第１回路部４ｃの構成に、第１フィルタ部４３が追加されている。但し、第１フィルタ部４３は、ケーブル部６ｂのメタル線６２を介して供給される電力を第１コネクタ部２に印加するように構成されている。また、第１フィルタ部４３は、第１コネクタ部２に印加される電気信号の直流成分が、増幅器４１側に供給されることを阻止するように構成されていてもよい。
【００６８】
第２回路部５ｄは、第４実施形態で説明した第２回路部５ｃの構成に、第２フィルタ部５３が追加されている。但し、第２フィルタ部５３は、ＡＣ／ＤＣコンバータ５６から出力される電力を第２コネクタ部３に印加するように構成されている。また、第２フィルタ部５３は、第２コネクタ部３に印加される電気信号の直流成分が、増幅器５１側に供給されることを阻止するように構成されていてもよい。
【００６９】
なお、本実施形態では、ＤＣ／ＤＣコンバータ４４が被供給側給電部、第１コネクタ部２が被供給側コネクタ部、第１フィルタ部４３が出力フィルタ部、
ＤＣ／ＤＣコンバータ５４が供給側給電部、第２コネクタ部３が供給側コネクタ部、第２フィルタ部５３が入力フィルタ部、ＡＣ／ＤＣコンバータ５６が外電源部に相当する。
【００７０】
［５−２．効果］
以上詳述した第５実施形態によれば、前述した第４実施形態の効果（１ａ）（１ｂ）（４）を奏し、さらに、以下の効果を奏する。
【００７１】
（５）ケーブルユニット１ｄによれば、第１コネクタ部２および第２コネクタ部３を介して外部に電力を供給することができるため、伝送線路を介して給電を受ける機器との接続に用いることができる。
【００７２】
なお、本実施形態では、第１回路部４ｄおよび第２回路部５ｄの両方に第１フィルタ部４３および第２フィルタ部５３を設けたが、第１回路部４ｄにだけ第１フィルタ部４３を設けたり、第２回路部５ｄにのみ第２フィルタ部５３を設けたりしてもよい。
【００７３】
［６．他の実施形態］
以上、本開示の実施形態について説明したが、本開示は上述の実施形態に限定されることなく、種々変形して実施することができる。
【００７４】
（６ａ）上記実施形態では、第１変換部４０および第２変換部５０は、それぞれ単一のＥ／Ｏ変換器および単一のＯ／Ｅ変換器にて構成されているがこれに限るものではない。図９に示すように、第１変換部４０ａは、増幅器４１および発光素子４２により構成されたＥ／Ｏ変換器８ａを複数備え、分波フィルタ４７が、第１コネクタ部２を介して入力される電気信号を周波数の異なる複数の電気信号に分波してＥ／Ｏ変換器８ａ，８ａのそれぞれに供給するように構成してもよい。
【００７５】
一方、第２変換部５０ａは、受光素子５２および増幅器５１により構成されたＯ／Ｅ変換器９ａを複数備え、各Ｏ／Ｅ変換器９ａにて変換された電気信号を、合波フィルタ５７が合波して第２コネクタ部３から出力するように構成してもよい。このような第１変換部４０ａおよび第２変換部５０ａを用いることにより、使用周波数の全域に渡ってフラットな周波数特性を、比較的狭い帯域の光電変換素子を用いて実現することができる。
【００７６】
なお、第１変換部４０ａおよび第２変換部５０ａを用いた場合、図９に示すように、各Ｅ／Ｏ変換器８ａにて生成された光信号を、単一の光ファイバを有するケーブル部６を用いて伝送してもよい。また、図１０に示すように、複数の光ファイバを有するケーブル部６ｃを用いて、Ｅ／Ｏ変換器８ａ毎に、異なる光ファイバにて光信号を伝送してもよい。但し、単一の光ファイバで伝送する場合、各Ｅ／Ｏ変換器８ａの発光素子４２は、それぞれが異なる波長の光信号を発生させるように構成する必要がある。また、図９および図１０では、第１変換部４０ａおよび第２変換部５０ａは、Ｅ／Ｏ変換器８ａおよびＯ／Ｅ変換器９ａを、それぞれが二つ有しているが、それぞれが三つ以上有していてもよい。
【００７７】
（６ｂ）図１１に示すように、第１変換部４０ｂは、Ｅ／Ｏ変換器８ａと、Ｏ／Ｅ変換器８ｂと、方向性結合器４８とで構成されていてもよい。なお、Ｏ／Ｅ変換器８ｂは、Ｏ／Ｅ変換器９ａと同様に受光素子５２および増幅器５１で構成されている。そして、方向性結合器４８は、第１コネクタ部２を介して入力される電気信号をＥ／Ｏ変換器８ａに供給し、Ｏ／Ｅ変換器８ｂから供給される電気信号を、第１コネクタ部２を介して出力する。この場合、第２変換部も第１変換部４０ｂと同様に構成されたものを用いることができ
る。このような第１変換部４０ｂおよび第２変換部を用いることで、双方向通信を実現することができる。また、この場合、図１１に示すように、双方向の光信号を、単一の光ファイバを有するケーブル部６を用いて伝送してもよい。また、図１２に示すように、複数の光ファイバを有するケーブル部６ｃを用いて、伝送方向毎に異なる光ファイバにて光信号を伝送してもよい。
【００７８】
（６ｃ）上記第２実施形態や第４実施形態では、外部電源から給電を受けるために電源プラグ４５，５５を用いているが、これに限るものではない。例えば、電源プラグの代わりにＵＳＢコネクタを用いてもよい。この場合、ＡＣ／ＤＣコンバータ４６，５６を省略することができる。
【００７９】
（６ｄ）上記第３実施形態では、第１回路部４ｂは第１フィルタ部４３を介して第１コネクタ部２に印加される電気信号から電力を取得するように構成したがこれに限定されるものではない。例えば、第１回路部４ａの場合と同様に、第１フィルタ部４３を省略し、代わりに電源プラグ４５およびＡＣ／ＤＣコンバータ４６を設けることで、外部電源から電力を取得するように構成してもよい。
【００８０】
（６ｅ）上記第４実施形態では、第２回路部５ｃは電源プラグ５５を介して外部電源から電力を取得するように構成したが、これに限定されるものではない。例えば、第２回路部５の場合と同様に、第２フィルタ部５３を設け、第２コネクタ部３に印加される電気信号から電力を取得するように構成してもよい。
【００８１】
（６ｆ）上記実施形態では、第１コネクタ部２は第１回路部４，４ａ〜４ｄと一体に構成され、第２コネクタ部３は第２回路部５，５ａ〜５ｄと一体に構成されているが、これに限定されるものではない。例えば、第１コネクタ部２と第１回路部４，４ａ〜４ｄ、および第２コネクタ部３と第２回路部５，５ａ〜５ｄが、同軸ケーブルを介して接続されるような構成を有していてもよい。
【００８２】
（６ｇ）第１回路部４ａ，４ｃおよび第２回路部５ａ〜５ｃは、第１フィルタ部４３および第２フィルタ部５３を備えていないが、第５実施形態と同様に、第１コネクタ部２および第２コネクタ部３を介して外部に電力を供給するために、第１フィルタ部４３および第２フィルタ部５３を設けてもよい。
【００８３】
（６ｈ）上記第３〜第５実施形態のケーブルユニット１ｂ〜１ｄでは、ＤＣ／ＤＣコンバータ４４，５４のうち、一方がメタル線６２を介して電力の供給を受けるように構成されているが、これに限定されるものではない。例えば、ケーブル部６ｂの途中にメタル線６２に電力を供給する給電点を設け、ＤＣ／ＤＣコンバータ４４，５４が、いずれもメタル線６２を介して電力の供給を受けるように構成してもよい。
【００８４】
（６ｉ）上記実施形態では、ケーブルユニット１を伝送システム７に適用する例を示したが、これに限定されるものではなく、同軸ケーブルを使用してテレビ信号を伝送するように構成されている任意の伝送システムに適用することができる。
【００８５】
（６ｊ）上記実施形態では、第１コネクタ部２および第２コネクタ部３としてＦ型コネクタを用いているが、これに限定されるものではなく、公知の高周波コネクタを用いることができる。
【００８６】
（６ｋ）上記実施形態では、ケーブルユニット１が伝送する信号としてテレビ信号を例示したが、これに限定されるものではなく、ＩＰ放送用のデータ、検針データ、Ｗｅｂデータ等の各種データを伝送してもよい。
【００８７】
（６ｌ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００８８】
１，１ａ〜１ｄ…ケーブルユニット、２…第１コネクタ部、３…第２コネクタ部、４，４ａ〜４ｄ…第１回路部、５，５ａ〜５ｄ…第２回路部、６，６ｂ，６ｃ…ケーブル部、７…伝送システム、８ａ…Ｅ／Ｏ変換器、８ｂ，９ａ…Ｏ／Ｅ変換器、４０…第１変換部、４１，５１…増幅器、４２…発光素子、４３…第１フィルタ部、４４，５４…ＤＣ／ＤＣコンバータ、４５，５５…電源プラグ、４６，５６…ＡＣ／ＤＣコンバータ、４７…分波フィルタ、４８…方向性結合器、５７…合波フィルタ、５０…第２変換部、５２…受光素子、５３…第２フィルタ部、６１…光ファイバ、６２…メタル線、７１…アンテナ、７２…ブースタ、７３…分配器、７４…壁面ユニット、７５…テレビ受信機。
【図１】
2018148495.tif 000003
【図２】
2018148495.tif 000004
【図３】
2018148495.tif 000005
【図４】
2018148495.tif 000006
【図５】
2018148495.tif 000007
【図６】
2018148495.tif 000008
【図７】
2018148495.tif 000009
【図８】
2018148495.tif 000010
【図９】
2018148495.tif 000011
【図１０】
2018148495.tif 000012
【図１１】
2018148495.tif 000013
【図１２】
2018148495.tif 000014